(57)【要約】      （修正有）【課題】手動／電動式モデルガンの制御構造の提供。【解決手段】手動／電動式モデルガンの制御構造は、第一複合ギア５２内に弾性アーム５２４を設置し、弾性アーム５２４の自由端上に連動凸ピン５２６を設置することで、第一複合ギア５２の回転時に、連動凸ピン５２６は発射装置を連動し確実に作動させることができる。一方、反転時には、弾性アーム５２４の弾力により、連動凸ピン５２６は係合を離れ、第一複合ギア５２の半ギア５２２は、ピストン６２の下ラック６２５との噛み合い状態を確実に保持することができる。このようにして、公知の手動／電動式モデルガンの制御構造において、弾がつまり易いという問題を改善することができる。【選択図】図１
0003147423.tif 000002
【実用新案登録請求の範囲】
【請求項１】
ガンハウジング、引き金、ガンロックスリーブ、ピストン等の構成部材を備え、
しかも前記制御構造はさらに第一連動棒、第一押動部品、第二連動棒、第二押動部品、伝動ユニット、発射装置、ガンハウジング、押し上げブロックを備え、
前記第一連動棒は、一端に連接ピンを備え、反対端の連接孔と前記引き金は相互に連接し、しかも前記引き金は前記第一連動棒を連動し、延伸方向ｘに沿って横方向のスライド移動を行わせ、
前記第一押動部品は、前記第一連動棒と連接し、しかも前記第一押動部品と電源スイッチのプッシュターンバーは接触し、前記第一連動棒が延伸方向ｘに沿って横方向にスライド移動すると、前記第一押動部品は前記第一連動棒により連動され横方向のスライド移動を行い、これにより第一押動棒はプッシュターンバーを押し動かし、スイッチは電動モーターの電源を通電し、
前記第二連動棒は、プルバーと押棒を備え、前記伝動ユニットの第一複合ギアが回転すると、前記第一複合ギア凹槽内の連動凸ピンは、プルバーを連動し、延伸方向ｘに沿ってスライド移動させ、これにより押棒は延伸方向ｘの反対方向に沿ってスライド移動し、
前記押動部品は、連動スライドブロック、プッシュターンブロック、第二復位バネ、スライドブロック、第四復位バネを備え、
前記伝動ユニットは、電動モーター、第一複合ギア、第二複合ギア、第三複合ギアを備え、
前記発射装置は、ガンロックスリーブ、ピストン、引き金、可動回転ブロック、ピストンバネ、内挿棒を備え、
前記ガンハウジングは、貫通部、モーター連接端、前導槽、内導槽、定位槽、制御導槽、スイッチ収容設置室、スイッチを備え、
前記押し上げブロックは、プッシュターン凸ブロック、ストッパー部、圧縮ばねを備え、前記電動モーターの電源が切断され、伝動ユニットの第一複合ギアが反転を生じると、前記第一複合ギアは前記ガンロックスリーブと係合を解除し、前記第一複合ギアと前記発射装置のピストンは噛み合い作動することを特徴とする手動／電動式モデルガンの制御構造。
【請求項２】
前記第二押動部品と前記押棒は連接し、しかも前記第二押動部品はスイッチに隣接し、前記押棒が延伸方向ｘの反対方向に沿ってスライド移動する時、前記押棒は第二押動部品を押し、延伸方向ｘの反対方向に沿ってスライド移動させ、これにより第二押動部品は前記プッシュターンバーを押し動かし、電動モータースイッチの電源を切断することを特徴とする請求項１に記載の手動／電動式モデルガンの制御構造。
【請求項３】
前記伝動ユニットの第一複合ギアは、弾性アームと連動凸ピンを備え、前記連動凸ピンは弾性アームの自由端に位置し、しかも前記伝動ユニットと前記電動モーター、及び前記発射装置のピストンは対応し連動することを特徴とする請求項１に記載の手動／電動式モデルガンの制御構造。
【請求項４】
前記電動モーターの電源が通電すると、前記第一複合ギアは回転運動を行い、これにより前記発射装置のピストンは、第一複合ギアにより後方へと連動され、しかも第一複合ギアの弾性アームの連動凸ピンは、ガンロックスリーブのプルバーを連動し後方へと作動させ、このようにして弾倉内の弾丸は予定の位置に落ち、前記ピストンの下ラックと前記第一複合ギアが分離する時、ピストンは元の位置を回復し、並びにガンロックスリーブ内の圧縮された空気を利用し、弾丸を発射することを特徴とする請求項３に記載の手動／電動式モデルガンの制御構造。
【請求項５】
前記発射装置の可動回転ブロックは、係合歯部、斜面を備え、前記斜面と前記第一凸ピンは接触し、前記ピストンが引かれ、延伸方向ｘの反対方向に沿って移動する時、前記係合歯部と前記ピストンの係合槽は係合し、前記引き金が引かれると、前記第一凸ピンは前記斜面を押し動かし、前記係合歯部と係合槽は分離し、このようにして、ピストンは延伸方向ｘに沿って移動することを特徴とする請求項１に記載の手動／電動式モデルガンの制御構造。
【請求項６】
前記第一押動部品はさらに、連接スライドブロック、プッシュターン部品、第一復位バネを備え、
前記連接スライドブロックは、ガンハウジング内において、延伸方向ｘに沿って横方向にスライド移動し、
前記プッシュターン部品は、前記連接スライドブロック上に可動接続し、前記連接スライドブロックがスライド移動すると、前記押動部品前方部は接触し、プッシュターンバーを押し動かし、
前記第一復位バネは、前記連接スライドブロックと前記押動部品に連接し、これにより前記押動部品と前記プッシュターンバーは接触を持続することを特徴とする請求項１に記載の手動／電動式モデルガンの制御構造。
【請求項７】
前記連動棒のプルバーはフック部と弧状面を備え、前記第一複合ギアが回転すると、前記連動凸ピンは弧状面に沿って前記フック部まで回転動し、前記フック部と係合し、前記プルバーを連動することを特徴とする請求項１に記載の手動／電動式モデルガンの制御構造。
【請求項８】
前記第二押動棒の連接棒両端は、前記プルバー及び前記押棒とそれぞれ連接することを特徴とする請求項１に記載の手動／電動式モデルガンの制御構造。
【請求項９】
前記伝動ユニットの第一複合ギアは、さらに細ギア、半ギア、強化ブロックを備え、
前記細ギアは貫通部を備え、しかも前記貫通部と前記弾性アームは対置し、
前記貫通部に隣接する半ギアの片側は歯部で、反対側は平滑円弧で、その中間には凹槽を形成し、前記弾性アームは凹槽内に位置し、前記第一複合ギアが回転すると、前記歯部は前記下ラックと噛み合い、
前記強化ブロックは、前記貫通部位置に設置され、前記細ギアの強度を増強することを特徴とする請求項１に記載の手動／電動式モデルガンの制御構造。
【請求項１０】
前記押し上げブロックは、第一押動部品及び第二押動部品と相互に隣接し、前記押し上げブロックの電源スイッチの制御を調整することを特徴とする請求項１に記載の手動／電動式モデルガンの制御構造。
【請求項１１】
前記スライドブロックは、階段状を呈し、上端へ向かうフック部を設置し、中央部分には第四復位バネを設置し、
しかも、前記スライドブロック底部には、粘着性を備える濃密オイルを塗布し、並びに前記第四復位バネの作用を受け、前記フック部を利用し、前記電源スイッチのプッシュターンバーを連動し、延伸方向ｘに沿って後方へとゆっくりとスライド移動させ、
これにより、前記第一複合ギアの半歯部と前記ピストンの下ラックが相互に引っ掛かり、元の位置を回復できないという現象の発生を回避することを特徴とする請求項１に記載の手動／電動式モデルガンの制御構造。
【考案の詳細な説明】
【技術分野】
【０００１】
本考案は手動／電動式モデルガンの制御構造に関し、特に手動、或いは電動モーター連動等の異なる方式により駆動可能な手動／電動式モデルガンの制御構造に関する。
【背景技術】
【０００２】
プラスチック材質の弾丸を発射することができるモデルガン製品において、現在一般的には、気圧式と機械式の２種の構造が見受けられる。該気圧式は、外付けのエアボトルによりモデルガンに高圧空気を供給し、該高圧空気が生じる圧力を利用し、プラスチック弾丸を外へ発射するものである。該機械式は、圧縮を受けたバネが伸張する時に生じる弾力を利用し、ピストンを押し、高圧空気を発生し、プラスチック弾丸を外へ発射するものである。上記した両者は、動力のソースが異なるため、その構造も全く違う。
【０００３】
機械式モデルガンの構造において、比較的簡易なものは、手で引く方式により、ピストンを連動し、バネを圧縮するが、この種の構造は、単発射撃の機能しか備えず、使用における面白みに欠ける。一方、電動モーターにより、伝動機構を経由し、ピストンを連動しバネを圧縮する方式は、切り替え構造により、手動単発射撃と電動連続射撃の機能を同時に備え、使用においてより高い面白みを備える。しかし、現在市販されている製品では、手動式或いは電動モーター方式共に、その駆動方式は単一形態により、各モデルガン製品中に個別に存在し、手動と電動モーター駆動と、を兼ね備える構造は極めて少ない。そのため、電動モーター駆動のモデルガンにおいては、電力を使い切ってしまえば使用不能となり、これが市場における競争力向上のネックとなっている。
【０００４】
特許文献１（同案は、特許文献２、特許文献３、特許文献４を同時に申請）は、本発明人が以前開発した構造である。該構造は手動と電動モーター駆動をモデルガン構造中に併用する。モデルガンが電動モーター駆動制御である時に、電動モーターの回転が、その第三複合ギアの回転を連動する場合には、第三複合ギアの側凸ピンは、ガンロックスリーブのＬ型プルバーを押し、これによりガンロックスリーブのエアノズルは内側へと収縮し、弾倉内のプラスチック弾はエアノズル前方に予め設置する位置に落ちる。次に、第三複合ギアのラフギアとピストンの下ラックは相互に噛み合い、第三複合ギアの連動を利用し、第三複合ギアのラフギアが下ラックを離れるまで、ピストンはピストンバネへの圧縮を継続する。並びに、貫通欠口により下ラックに対応し、ピストンがピストンバネの弾力を受け、ガンスリーブの収容設置空間内に迅速に押し入れられ、このようにして収容設置空間内の空気は圧縮され、エアノズルより急速に噴出し、プラスチック弾丸に衝撃を与え、外へと飛び出させる。
【０００５】
【特許文献１】台湾特許第Ｉ２６４５１８号明細書
【特許文献２】米国特許第７，１００，５９２号明細書
【特許文献３】中華人民共和国実用新案第２００５２０１３６４８５．３号明細書
【特許文献４】日本実用新案第２００５−９７７０号明細書
【０００６】
しかし、第三複合ギアのラフギアとピストンの下ラックが噛み合う時には、しばしば以下のような状況が発生する。一つは、側凸ピンがガンロックスリーブのＬ型プルバーを押すため、電源切断時にも電動モーターは慣性により、第三複合ギアの連動を持続し、第三複合ギアは回転を継続し、予定の回復位置を離脱してしまう。或いは、第三複合ギアの側凸ピンは、引き金のフック部に衝突し、反転を生じ、予定の回復位置を離脱してしまう。これらにより電動モーターの再起動時に、ラフギアと下ラックは、噛み合いが不完全になり引っ掛かりの状態が発生し易い。これによりガンロックスリーブは完全には位置を回復することができず、モデルガンは弾詰まり、或いは一度の射撃で２個の弾丸を発射する状況が発生する。
【考案の開示】
【考案が解決しようとする課題】
【０００７】
本考案が解決しようとする第一の課題は、第一複合ギア上に弾性アームを設置し、しかも弾性アームの自由端には連動凸ピンを設置し、弾性アームの連動凸ピンを利用し、正回転時に発射装置を連動し確実に位置を回復させ、反転時には係合を離脱させ、電動モーター回転時に、第一複合ギアと発射装置中のピストンの下ラックに完全に位置を回復させ、噛み合わせることができる手動／電動式モデルガンの制御構造を提供することである。本考案が解決しようとする第二の課題は、第二押動部品のスライドブロック底部に粘着性を備える濃密オイルを塗布し、並びに第四復位バネの作用を受け、フック部を利用し、電源スイッチのプッシュターンバーを連動し、延伸方向ｘに沿って後方へとゆっくりとスライド移動させ、これにより電源が直ちにオフにならないようにし、連動凸ピンが電源切断後に直ちに作動を停止することで、第一複合ギアの半歯部とピストンの下ラックが相互に引っ掛かり、元の位置を回復できないという現象の発生を、このようにして回避することができる手動／電動式モデルガンの制御構造を提供することである。
【課題を解決するための手段】
【０００８】
上記課題を解決するため、本考案は下記の手動／電動式モデルガンの制御構造を提供する。
手動／電動式モデルガンの制御構造は、ガンハウジング、引き金、ガンロックスリーブ、ピストン等の構成部材を備える。
該制御構造はさらに第一連動棒、第一押動部品、第二連動棒、第二押動部品、伝動ユニット、発射装置、ガンハウジング、押し上げブロックを備える。
該第一連動棒は一端に連接ピンを備え、第一押動部品を連動し、該第一連動棒反対端の連接孔と該引き金は連接し、しかも該引き金は該第一連動棒を連動し、延伸方向に沿ってスライド移動させる。
該第一押動部品の孔と該第一連動棒の連接端は連接し、しかもスイッチのプッシュターンバーと接触する。
該第一押動部品が第一連動棒により連動され、プッシュターンバーを押し動かすと、電動モーターの電源を通電する。
該第二連動棒のプルバーの弧状面と該伝動ユニットの第一複合ギアの連動凸ピンは対応し作動する。
電動モーターの電源が通電されると、該伝動ユニットの第一複合ギアの弾性アームの連動凸ピンは作動し、該発射装置のピストンは後方へと連動され、しかも該連動凸ピンは発射装置のガンロックスリーブを連動し後方へと移動させ、該弾倉内の弾丸は予定の位置に落ちる。
該ピストン下方の下ラックが第一複合ギアと分離すると、該ピストンは元の位置を回復し、圧縮空気を押し出し、弾丸を発射する。
該電動モーターの電源が切断され、第一複合ギアが慣性運動により反転を生じると、該弾性アームの弾力により、該連動凸ピンはプルバーと離れ、このようにして該第一複合ギアと該下ラックは確実に噛み合う。
【考案の効果】
【０００９】
本考案一実施形態による手動／電動式モデルガンの制御構造は、第一複合ギア内に弾性アームを設置し、弾性アームの自由端上に連動凸ピンを設置することで、第一複合ギアの回転時に、連動凸ピンは発射装置を連動し確実に作動させることができる。
一方、反転時には、弾性アームの弾力により、連動凸ピンは係合を離れ、第一複合ギアの半歯部は、ピストンの下ラックとの噛み合い状態を確実に保持することができる。
このようにして、公知の手動／電動式モデルガンの制御構造において、弾がつまり易いという問題を改善することができる。
【考案を実施するための最良の形態】
【００１０】
以下に図面を参照しながら本考案を実施するための最良の形態について詳細に説明する。図１は、本考案の一実施形態による手動／電動式モデルガンの制御構造において、分解状態を示す立体概略図で、図２は、本考案の一実施形態による手動／電動式モデルガンの制御構造において、組合せ状態を示す立体概略図である。図１に示す本考案の一実施形態による手動／電動式モデルガンの制御構造と、特許文献１（特許文献２、特許文献３、特許文献４）」は、大部分において相同である。両構造は共に、ガンハウジング７、引き金６３、ガンロックスリーブ６１、ピストン６２等の構成部材を備える。本考案の一実施形態による手動／電動式モデルガンの制御構造は、さらに第一連動棒１、第一押動部品２、第二連動棒３、第二押動部品４、伝動ユニット５、発射装置６、ガンハウジング７、押し上げブロック８により構成する。第一連動棒１は、連接孔１１、第一凸ピン１２、連接ピン１３を備える。連接孔１１と引き金６３の連接柱６３２は相互に連接し、第一凸ピン１２と可動回転ブロック６４の斜面６４２は相互に接触する。
【００１１】
第一押動部品２は、連接スライドブロック２１、プッシュターン部品２２、第一復位バネ２３を備える。連接スライドブロック２１前方部には、孔２１１を備え、第一連動棒１の連接ピン１３と相互に連接する。プッシュターン部品２２は、連接スライドブロック２１上に可動接続し、第一復位バネ２３は、連接スライドブロック２１とプッシュターン部品２２のフック部２１２、２２１に掛け、設置する。
【００１２】
第二連動棒３は、プルバー３１、押棒３２、連接棒３３を備える。プルバー３１は、フック部３１１と弧状面３１２を備え、しかもフック部３１１は弧状面３１２後方部に位置する。連接棒３３は、ガンハウジング７上に可動設置し、しかもその両端はそれぞれプルバー３１と押棒３２で、連接棒３３によりプルバー３１と押棒３２は反対方向に移動する。
【００１３】
第二押動部品４は、連動スライドブロック４１、プッシュターンブロック４２、第二復位バネ４３、スライドブロック４４、第四復位バネ４５を備える。連動スライドブロック４１は、収容設置槽４１１と凸柱４１２を備える。プッシュターンブロック４２は、レバー４２１を備え、しかもプッシュターンブロック４２は、収容設置槽４１１内に位置する。さらに、レバー４２１は、連動スライドブロック４１外まで延伸し、第二復位バネ４３の一端は、凸柱４１２に嵌設し、反対端は、ガンハウジング７の対応する位置において突っ張り接触する。第三復位バネ４２２両端は、それぞれプッシュターンブロック４２と連動スライドブロック４１の間にそれぞれ突っ張り接触する。スライドブロック４４は、階段状を呈し、上端へ向かうフック部４４１を設置し、中央部分には第四復位バネ４５を設置する。
【００１４】
伝動ユニット５は、電動モーター５１、第一複合ギア５２、第二複合ギア５３、第三複合ギア５４を備える。電動モーター５１前方部には、伝動ギア５１１を設置し、挿合部５１２によりガンハウジング７のモーター連接端７２位置に設置する。第三複合ギア５４は、直角ギア５４１と前ギア５４２を備え、しかも直角ギア５４１と電動モーター５１の伝動ギア５１１は相互に噛み合い、前ギア５４２は直角ギア５４１の片側に同軸で設置する。第二複合ギア５３は、大ギア５３１と小ギア５３２を備え、しかも大ギア５３１と第三複合ギア５４の前ギア５４２は相互に噛み合い、小ギア５３２は大ギア５３１の片側に同軸で設置する。第一複合ギア５２は、細ギア５２１、半ギア５２２、強化ブロック５２３、弾性アーム５２４、連動凸ピン５２６を備える。細ギア５２１は片側には、貫通部５２５を備える。貫通部５２５と弾性アーム５２４は対置し、しかも細ギア５２１と第二複合ギア５３の小ギア５３２は相互に噛み合う。貫通部５２５に隣接する半ギア５２２の片側は歯部で、反対側は、平滑円弧で、その中間には凹槽を形成する。弾性アーム５２４はこの凹槽に位置し、しかも連動凸ピン５２６は弾性アーム５２４の自由端に位置する。第一複合ギア５２が回転すると、半ギア５２２の歯部は、ピストン６２の下ラック６２５と噛み合い、強化ブロック５２３は、貫通部５２５内に設置され、細ギア５２１の強度を増強する。
【００１５】
発射装置６は、ガンロックスリーブ６１、ピストン６２、引き金６３、可動回転ブロック６４、ピストンバネ６５、内挿棒６６を備える。ガンロックスリーブ６１は、ピストン収容設置空間６１１、エアノズル６１２、凸部６１３、Ｌ型プルバー６１４を備える。ガンロックスリーブ６１は、ガンハウジング７の貫通部７１位置に収容設置される。ガンロックスリーブ６１は一端は開口を備えるピストン収容設置空間６１１で、反対端は貫通し、しかもガンハウジング７外にまで延伸するエアノズル６１２である。しかも、ガンロックスリーブ６１の開口部の外周縁には凸部６１３とＬ型プルバー６１４を設置する。凸部６１３をガンハウジング７の前導槽７３に設置することで、可動の制限を形成する。
【００１６】
ピストン６２は挿棒収容設置空間６２１、ピストンワッシャ６２２、ストッパー凸部６２３、少なくとも１個の凸リブ６２４、下ラック６２５を備える。ピストン６２の前方部とピストンワッシャ６２２は結合し、結合した状態でガンロックスリーブ６１のピストン収容設置空間６１１中に挿入される。ピストン６２後方部には、開口部を備える挿棒収容設置空間６２１を設置する。ストッパー凸部６２３は、ピストン６２の開口部の外周縁に位置する。凸リブ６２４と下ラック６２５は、ピストン６２外周縁に設置し、しかもピストン６２の軸に沿って延伸方向に設置する。内挿棒６６一端には環状フランジ６６１を設置し、反対端はピストンバネ６５を貫通し、ピストン６２の挿棒収容設置空間６２１中に進入する。しかも環状フランジ６６１は、ガンハウジング７の定位槽７５に嵌り、定位を形成することができる。
【００１７】
引き金６３は、回転軸６３１と第一ツイストバネ６３３により、ガンハウジング７上に可動設置され、しかも引き金６３上方には連接柱６３２を備え、第一ツイストバネ６３３により、引き金６３は回転の弾力を保持する。可動回転ブロック６４は、係合歯部６４１、斜面６４２、第二ツイストバネ６４３を備える。可動回転ブロック６４は、ガンハウジング７内に可動設置し、しかもピストン６２下方に位置する。
【００１８】
ガンハウジング７は、貫通部７１、モーター連接端７２、前導槽７３、内導槽７４、定位槽７５、制御導槽７６、スイッチ収容設置室７７、スイッチ７８を備える。ガンハウジング７は、一対の半身状のハウジングが結合し構成し、貫通部７１はガンハウジング７前方部に位置し、内導槽７４はガンハウジング７内に位置し、しかも貫通部７１と隣接する。貫通部７１と内導槽７４間の上方位置には前導槽７３を有し、定位槽７５は、内導槽７４末端に設置する。モーター連接端７２は、ガンハウジング７底部に位置し、スイッチ収容設置室７７は、定位槽７５下方に設置する。スイッチ収容設置室７７とモーター連接端７２間には、制御導槽７６を有し、スイッチ７８は、スイッチ収容設置室７７内に設置し、しかもプッシュターンバー７８１を備える。
【００１９】
押し上げブロック８は、プッシュターン凸ブロック８１、ストッパー部８２、圧縮ばね８３を備える。プッシュターン凸ブロック８１は、押し上げブロック８底部の片側に位置する。プッシュターン凸ブロック８１は、ガンハウジング７の制御導槽７６位置から外へ伸び、しかも押し上げブロック８頂点部のストッパー部８２は、第一押動部品２及び第二押動部品４と相互に隣接する。
【００２０】
図３から図５は、本考案の一実施形態による手動／電動式モデルガンの制御構造において、手動制御構造を示す右側平面断面動作概略図（一）、（二）、（三）である。図３、図４に示すように、上記した構成部材を組合せ後に、ストッパー凸部６２３を手で引くと、ピストン６２は、その軸方向の延伸方向ｘに沿って、ガンハウジング７の定位槽７５に接触するまで移動させられる。この時、ピストン６２はピストンバネ６５を圧縮し、しかもその下方の係合槽と可動回転ブロック６４の係合歯部６４１は相互に係合する。これによりピストン６２は、後方に固定され、図４に示す状態となる。引き金６３を引くと、引き金６３の連接柱６３２と第一連動棒１の連接孔１１は連動し、連動棒１は延伸方向ｘの反対方向に沿ってスライド移動する。しかも第一連動棒１上の第一凸ピン１２は、可動回転ブロック６４の斜面６４２を押さえ付け、これにより可動回転ブロック６４係合歯部６４１と係合槽は分離する。さらに、ピストンバネ６５の弾力により、ピストン６２を押し動かし、ガンロックスリーブ６１内の圧縮された空気は急速に押し出され噴出する。これによりガンロックスリーブ６１エアノズル６１２前方の弾倉７９内に位置する弾丸７９１は、外に向かって発射される。
【００２１】
図６から図１１は、本考案の一実施形態による手動／電動式モデルガンの制御構造において、電動制御構造を示す左側平面断面動作概略図であり、図９、図１０は、本考案の一実施形態による手動／電動式モデルガンの制御構造において、電動制御構造の第一複合ギア５２と第二連動棒３の作用を示す俯瞰図であり、図１１は、本考案の一実施形態による手動／電動式モデルガンの制御構造において、電動制御構造を示す左側平面断面動作概略図である。図６に示すように、引き金６３を引くと、引き金６３は第一連動棒１を連動し、連動棒１は延伸方向ｘの反対方向に沿ってスライド移動する。しかも第一連動棒１上と連接する第一押動部品２は第一連動棒１に連動され、これにより第一押動部品２の連接スライドブロック２１はスライド移動し、プッシュターン部品２２によりスイッチ７８のプッシュターンバー７８１を押し動かす。このようにして、スイッチ７８は電動モーター５１の電源を通電する（図７参照）。電動モーター５１の電源が通電後、電動モーター５１軸端の伝動ギア５１１は回転を開始し、第三複合ギア５４と第二複合ギア５３を連動する。次に、第一複合ギア５２が回転を開始すると、第一複合ギア５２凹槽内の弾性アーム５２４自由端の連動凸ピン５２６は、ガンロックスリーブ６１のＬ型プルバー６１４を連動する。これにより、ガンロックスリーブ６１は延伸方向ｘに沿って移動し、ガンロックスリーブ６１のエアノズル６１２先端弾倉７９に位置する弾丸７９１は、エアノズル６１２前の予定の位置に落ちる。しかも、第一複合ギア５２の半ギア５２２とピストン６２下方の下ラック６２５は相互に噛み合い、ピストン６２を連動し、延伸方向ｘに沿って、ガンハウジング７の定位槽７５位置に突き当たるまで移動させる。この時、さらに、ピストンバネ６５の弾力により、ピストン６２を押し、ガンロックスリーブ６１内の圧縮を受けた空気は急速に噴出する。これによりガンロックスリーブ６１エアノズル６１２前方の弾倉７９内に位置する弾丸７９１は、外に向かって発射される。半ギア５２２と下ラック６２５が離れると、連動凸ピン５２６は、弾性アーム５２４自由端に位置する弾力に押され、Ｌ型プルバー６１４を離れる（図９、図１０参照）。第一複合ギア５２は回転を持続し、これにより連動凸ピン５２６と第二連動棒３プルバー３１の弧状面３１２とは相互に接触し、弧状面３１２に沿って、フック部３１１と係合し、プルバー３１を連動し、延伸方向ｘの反対方向に沿って移動させる。これにより、押棒３２は延伸方向ｘに沿ってスライドし、第二押動部品４を押し動かす。この時、スライドブロック４４底部には、粘着性を備える濃密オイルを塗布し、並びに第四復位バネ４５の作用を受け、フック部４４１を利用し、電源スイッチ７８のプッシュターンバー７８１を連動し、延伸方向ｘに沿って後方へとゆっくりとスライド移動させる。これにより、電源が直ちにオフにならないようにし、連動凸ピン５２６が電源切断後に直ちに作動を停止することで、第一複合ギア５２の半ギア５２２とピストン６２の下ラック６２５が相互に引っ掛かり、元の位置を回復できないという現象の発生を、回避することができる（図１１参照）。このようにして、第二押動部品４プッシュターンブロック４２のレバー４２１とスイッチ７８のプッシュターンバー７８１は、相互に接触し、電動モーター５１の電源を切断する。
【００２２】
この後、電動モーター５１は慣性により連動されるため、連動凸ピン５２６が再度Ｌ型プルバー６１４に衝突し反転を生じる時まで、第一複合ギア５２は回転を持続する。弾性アーム５２４が備える弾力により、第一複合ギア５２は引っ掛かることがなく、ガンロックスリーブ６１は確実に復位することができる。しかも、電動モーター５１の再度の起動時に、第一複合ギア５２の半ギア５２２とピストン６２下方の下ラック６２５は、噛み合いが不完全であるため相互に引っ掛かることはなく、さらには、ガンロックスリーブ６１局部が後退し、弾が詰まり、或いは一度に２個の弾丸７９１が発射される等の問題の発生を回避することができる。
【００２３】
図１２、図１３は、本考案の一実施形態による手動／電動式モデルガンの制御構造において、押し上げブロック８が第一位置に在る状態を示す立体動作概略図であり、図１３は、本考案の一実施形態による手動／電動式モデルガンの制御構造において、押し上げブロック８が第二位置に在る状態を示す立体動作概略図である。図１２に示すように、押し上げブロック８は第一位置９１に位置する時に、引き金６３を引き、第一連動棒１と第一押動部品２を連動すると、第一押動部品２のプッシュターン部品２２は前方部は、前方へとスライドし、押し上げブロック８のストッパー部８２下に進入する。第二連動棒３が第二押動部品４を押す時には、押し上げブロック８のストッパー部８２が第一押動部品２のプッシュターン部品２２を押し付け、しかもプッシュターン部品２２がスイッチ７８のプッシュターンバー７８１を係合するため、第二押動部品４のプッシュターンブロック４２のレバー４２１は、プッシュターンバー７８１を押し動かすことができない。これにより、第二押動部品４内の第三復位バネ４２２は圧縮され、スイッチ７８への通電を持続し、制御構造は連続射撃の状態を呈する。押し上げブロック８のプッシュターン凸ブロック８１が、使用者の手により下方へと動かされ、押し上げブロック８が下方へと移動し第二位置９２に在る時（図１３参照）、押し上げブロック８のストッパー部８２は、第一押動部品２のプッシュターン部品２２への制限を解除する。これにより第二押動部品４のプッシュターンブロック４２のレバー４２１が、プッシュターンバー７８１を押す時、プッシュターン部品２２はプッシュターンバー７８１を後方へと移動させ、スイッチ７８の電源を切断する。このようにして、制御構造は単発射撃の状態を呈する。
【００２４】
上記したように、本考案一実施形態による手動／電動式モデルガンの制御構造は、第一複合ギア５２内に弾性アーム５２４を設置し、弾性アーム５２４の自由端上に連動凸ピン５２６を設置することで、第一複合ギア５２の回転時に、連動凸ピン５２６は発射装置を連動し確実に作動させることができる。一方、反転時には、弾性アーム５２４の弾力により、連動凸ピン５２６は係合を離れ、第一複合ギア５２の半ギア５２２は、ピストン６２の下ラック６２５との噛み合い状態を確実に保持することができる。このようにして、公知の手動／電動式モデルガンの制御構造において、弾がつまり易いという問題を改善することができる。
【図面の簡単な説明】
【００２５】
【図１】本考案の一実施形態による手動／電動式モデルガンの制御構造において、分解状態を示す立体概略図である。
【図２】本考案の一実施形態による手動／電動式モデルガンの制御構造において、組合せ状態を示す立体概略図である。
【図３】本考案の一実施形態による手動／電動式モデルガンの制御構造において、手動制御構造を示す右側平面断面動作概略図（一）である。
【図４】本考案の一実施形態による手動／電動式モデルガンの制御構造において、手動制御構造を示す右側平面断面動作概略図（二）である。
【図５】本考案の一実施形態による手動／電動式モデルガンの制御構造において、手動制御構造を示す右側平面断面動作概略図（三）である。
【図６】本考案の一実施形態による手動／電動式モデルガンの制御構造において、電動制御構造を示す左側平面断面動作概略図（一）である。
【図７】本考案の一実施形態による手動／電動式モデルガンの制御構造において、電動制御構造を示す平面断面動作の俯瞰図である。
【図８】本考案の一実施形態による手動／電動式モデルガンの制御構造において、電動制御構造を示す左側平面断面動作概略図（二）である。
【図９】本考案の一実施形態による手動／電動式モデルガンの制御構造において、電動制御構造の第一複合ギアと第二連動棒の作用を示す俯瞰図（一）である。
【図１０】本考案の一実施形態による手動／電動式モデルガンの制御構造において、電動制御構造の第一複合ギアと第二連動棒の作用を示す俯瞰図（二）である。
【図１１】本考案の一実施形態による手動／電動式モデルガンの制御構造において、電動制御構造を示す左側平面断面動作概略図（三）である。
【図１２】本考案の一実施形態による手動／電動式モデルガンの制御構造において、押し上げブロックが第一位置に在る状態を示す立体動作概略図である。
【図１３】本考案の一実施形態による手動／電動式モデルガンの制御構造において、押し上げブロックが第二位置に在る状態を示す立体動作概略図である。
【符号の説明】
【００２６】
１  第一連動棒  
１１  連接孔
１２  第一凸ピン  
１３連接ピン
２  第一押動部品  
２１連接スライドブロック
２１１  孔  
２１２  フック部
２２  プッシュターン部品 
２２１  フック部
２３  第一復位バネ 
３  第二連動棒
３１  プルバー 
３１１  フック部
３１２  弧状面 
３２  押棒 
３３  連接棒
４  第二押動部品
４１  連動スライドブロック
４１１  収容設置槽
４１２  凸柱 
４２  プッシュターンブロック
４２１  レバー 
４２２  第三復位バネ
４３  第二復位バネ
４４  スライドブロック
４４１  フック部
４５  第四復位バネ
５  伝動ユニット
５１  電動モーター
５１１  伝動ギア 
５１２  挿合部
５２  第一複合ギア
５２１  細ギア
５２２  半ギア
５２３  強化ブロック
５２４  弾性アーム
５２５  貫通部
５２６  連動凸ピン
５３  第二複合ギア
５３１  大ギア
５３２  小ギア
５４  第三複合ギア
５４１  直角ギア
５４２  前ギア 
６  発射装置
６１  ガンロックスリーブ
６１１  ピストン収容設置空間
６１２  エアノズル 
６１３  凸部
６１４  Ｌ型プルバー
６２  ピストン
６２１  挿棒収容設置空間
６２２  ピストンワッシャ
６２３  ストッパー凸部
６２４  凸リブ
６２５  下ラック
６３  引き金
６３１  回転軸
６３２  連接柱
６３３  第一ツイストバネ
６４  可動回転ブロック
６４１  係合歯部
６４２  斜面
６４３  第二ツイストバネ
６５  ピストンバネ
６６  内挿棒
６６１  環状フランジ
７  ガンハウジング
７１  貫通部
７２  モーター連接端
７３  前導槽
７４  内導槽
７５  定位槽
７６  制御導槽
７７  スイッチ収容設置室
７８  スイッチ
７８１  プッシュターンバー
７９  弾倉
７９１  弾丸
８  押し上げブロック
８１  プッシュターン凸ブロック
８２  ストッパー部
８３  圧縮バネ
ｘ  延伸方向
９１  第一位置
９２  第二位置
【図１】
0003147423.tif 000003
【図２】
0003147423.tif 000004
【図３】
0003147423.tif 000005
【図４】
0003147423.tif 000006
【図５】
0003147423.tif 000007
【図６】
0003147423.tif 000008
【図７】
0003147423.tif 000009
【図８】
0003147423.tif 000010
【図９】
0003147423.tif 000011
【図１０】
0003147423.tif 000012
【図１１】
0003147423.tif 000013
【図１２】
0003147423.tif 000014
【図１３】
0003147423.tif 000015